(57)【要約】【課題】  小型化が可能でしかも収納作業が容易な収納箱を提供する。【解決手段】  ケーブル引き込み部１３から光ドロップケーブル１４及び光ケーブル１７を引き込む。光ドロップケーブル１４及び光ケーブル１７を接続部１６にて接続する。光ケーブル１７の余長部分１７ｃを巻回して収納スペース１８に収納する。光ドロップケーブル１４及び光ケーブル１７に、予め内蔵光ファイバを内在し、光ファイバ心線の被覆を除去して露出させた光ファイバの先端面を、内蔵光ファイバに突き合わせた状態にて保持するメカニカルスプライス機能を備えたプラグ型光コネクタ２２及びソケット型光コネクタ２３を接続する。【選択図】      図１
2005300856.tif 000002
【特許請求の範囲】
【請求項１】
光ケーブルを固定する固定部と、前記光ケーブルの内部に収納された光ファイバを接続する接続部と、前記光ケーブルの余長部分を収納している収納部とを備えたことを特徴とする収納箱。
【請求項２】
前記光ケーブルの余長部分が収納箱の外で収納されていることを特徴とする請求項１に記載の収納箱。
【請求項３】
前記接続部は、前記光ファイバ端部に設けられた光コネクタを有し、この光コネクタは、内蔵光ファイバを内在し、この内蔵光ファイバの先端部と、前記光ファイバ心線のガラスファイバの先端部とを突き合わせた状態にて保持するメカニカルスプライス機能を備えていることを特徴とする請求項１又は２に記載の収納箱。
【請求項４】
前記光コネクタと接続する相手方光コネクタを備え、この相手方光コネクタは、内蔵光ファイバを内在し、この内蔵光ファイバの先端部と、光ケーブル又はファイバ心線のガラスファイバの先端部とを突き合わせた状態にて保持するメカニカルスプライス機能を備えていおり、前記光コネクタと前記相手方光コネクタとが接続していることを特徴とする請求項３に記載の収納箱。
【請求項５】
前記光ケーブルは、少なくとも１本以上の前記光ファイバ心線及びテンションメンバーを内在した光ドロップケーブル又は光インドアケーブルであることを特徴とする請求項１〜４のいずれか１項に記載の収納箱。
【請求項６】
前記光コネクタがプラグ型光コネクタ又はソケット型光コネクタであることを特徴とする請求項３〜５のいずれか１項に記載の収納箱。
【発明の詳細な説明】
【技術分野】
【０００１】
本発明は、光ファイバ同士の接続箇所を収納する収納箱に関するものである。
【背景技術】
【０００２】
一般に、光線路の中継局などにおいては、多数の光ファイバ心線の余長部分を処理して収納する余長収納箱が用いられている。
この余長収納箱は、図８に示すように、複数本の光ファイバ心線１をマイクロベンドによる障害が生じないように引き回して収納する余長収納部２を有している（例えば、特許文献１参照）。
また、図９に示すように、単心コネクタ３及び多心コネクタ４からの光ファイバ心線５を収納する余長収納部６を設けることにより、使用上の自由度を高めた収納箱も知られている（例えば、特許文献２参照）。
【０００３】
【特許文献１】特開平９−２１１２３６号公報
【特許文献２】特開平１１−２３８５４号公報
【発明の開示】
【発明が解決しようとする課題】
【０００４】
ところで、近年では、インターネットのさらなる普及にともない、一般家庭への光ファイバ心線の引き込みの要求が増大している。そして、このような場合には、光ファイバ心線を収容局から加入者側の建物などに配線するために、架空の光ファイバケーブルを建物に引き込み、光ケーブルから光ファイバ心線を口だしして余長処理を施して収納箱に収納する作業が必要であった。
しかしながら、このような光ファイバ心線の余長処理及びその余長部分の収納は、熟練有する作業者しか行うことができず、しかも、この余長収納作業は長時間を要するものであった。
また、光ファイバ心線の余長を収納する余長収納部は、光ファイバ心線の余長部分の巻き方が複雑であるため、かなりのスペースを要し、大型化が避けられなかった。
【０００５】
この発明は、小型化が可能でしかも収納作業が容易な収納箱を提供することを目的としている。
【課題を解決するための手段】
【０００６】
上記目的を達成するために、本発明に係る収納箱は、光ケーブルを固定する固定部と、前記光ケーブルの内部に収納された光ファイバを接続する接続部と、前記光ケーブルの余長部分を収納している収納部とを備えたことを特徴としている。
【０００７】
また、本発明にかかる収納箱は、前記光ケーブルの余長部分が収納箱の外で収納されていることが望ましい。
【０００８】
また、本発明に係る収納箱は、前記接続部は、前記光ファイバ端部に設けられた光コネクタを有し、この光コネクタは、内蔵光ファイバを内在し、この内蔵光ファイバの先端部と、前記光ファイバ心線のガラスファイバの先端部とを突き合わせた状態にて保持するメカニカルスプライス機能を備えていることが望ましい。
【０００９】
また、本発明に係る収納箱は、前記光コネクタと接続する相手方光コネクタを備え、この相手方光コネクタは、内蔵光ファイバを内在し、この内蔵光ファイバの先端部と、光ケーブル又はファイバ心線のガラスファイバの先端部とを突き合わせた状態にて保持するメカニカルスプライス機能を備えていおり、前記光コネクタと前記相手方光コネクタとが接続していることが望ましい。
【００１０】
また、本発明に係る収納箱は、前記光ケーブルは、少なくとも１本以上の前記光ファイバ心線及びテンションメンバーを内在した光ドロップケーブル又は光インドアケーブルであることが望ましい。
【００１１】
また、本発明に係る収納箱は、前記光コネクタがプラグ型光コネクタ又はソケット型光コネクタであることが望ましい。
【発明の効果】
【００１２】
本発明の収納箱によれば、取り扱いが比較的容易な光ケーブルの余長部を巻回しておくので、光ケーブルから引き出した光ファイバ心線の余長部分を収納するものと比較して、その作業に熟練を不要とすることができ、余長収納作業にかかる労力及び時間を削減することができる。しかも、余長部分の巻き方が容易であるので、余長収納スペースを極めて小さくすることができ、スペースの有効利用を図ることができ、小型化を図ることができる。さらには、光ケーブルの部分にて余長を確保するので、光ケーブルから引き出した光ファイバ心線の余長長さを短くすることができる。
【発明を実施するための最良の形態】
【００１３】
以下、本発明を実施するための最良の形態について図面を参照して説明する。
（第１の実施形態）
図１は第１の実施形態に係る収納箱を示す概略構成図である。
図に示すように、この収納箱１１は、トレイ部１２を有しており、このトレイ部１２の一端側が、ケーブル引き込み部１３とされている。この収納箱１１には、架空からの光ドロップケーブル（光ケーブル）１４が、図示しない吊線部と分離された後、ケーブル引き込み部１３側から引き込まれ、この引き込まれた光ドロップケーブル１４は、トレイ部１２の他端側に設けられた円弧状の仕切部１５の外周側へ通され、接続部１６へ導かれている。
ここで、この吊線部と分離された後の光ドロップケーブル１４は、図２に示すように、光ファイバ心線１４ａの周囲に、一対のテンションメンバー１４ｂを有したもので、これら光ファイバ心線１４ａとテンションメンバー１４ａとが外被１４ｃによって一体化されている。また、光ケーブル１７は、図３に示すように、光ファイバ心線１７ａを外被１７ｂによって一体に覆った構造とされている。
また、光ケーブル１７は、吊線部と分離された後の光ドロップケーブルと同じ矩形構造を有する光インドアケーブルでもよい。
【００１４】
また、収納箱１１には、ケーブル引き込み部１３側から光ドロップケーブル１４が引き込まれ、接続部１６に導かれている。更に、収納箱１１には、光(ドロップ)ケーブル１４、１７を固定するための固定部７、８が設けられ、光（ドロップ）ケーブル１４、１７が、例えば、２つの固定部材により挟持固定されている。収納箱１１には、ケーブル引き込み部１３に収納スペース１８を有しており、この収納スペース１８には、光ケーブル１７の一部を巻回した余長部分１７ｃが収納可能とされている。
接続部１６に導かれた光ドロップケーブル１４及び光ケーブル１７は、その端部同士が接続されている。
【００１５】
接続部１６では、光ドロップケーブル１４側のプラグ型光コネクタ２２と光ケーブル１７側のソケット型光コネクタ２３とを嵌合することにより、光ドロップケーブル１４と光ケーブル１７とが互いに光学的に接続される。そして、光ドロップケーブル１４及び光ケーブル１７は、それぞれの外被がプラグ型光コネクタ２２及びソケット型光コネクタ２３のハウジングに固定されている。
【００１６】
プラグ型光コネクタ２２及びソケット型光コネクタ２３は、それぞれメカニカルスプライス機能を有したものである。
ここで、このメカニカルスプライス機能を有するプラグ型光コネクタ２２及びソケット型光コネクタ２３について説明する。
プラグ型光コネクタ２２及びソケット型光コネクタ２３は、図４に示すように、内蔵光ファイバ３１ａを有した断面矩形状に形成されたメカニカルスプライス型の光コネクタであり、一側面には、２つの挿入穴３２ａ、３２ｂを有している。前側の挿入穴３２ａは、光ドロップケーブル１４及び光ケーブル１７からそれぞれ口出しされた光ファイバ心線１４ａ、１７ａのガラスファイバを保持するガラスファイバ保持部材３３ａを開くために形成されており、後側の挿入穴３２ｂは、光ファイバ心線１４ａ、１７ａを保持する保持部材３３ｂを開くために形成されている。そして、これら挿入穴３２ａ、３２ｂに、図示しない治具の突起部３７ａ、３７ｂが挿入可能とされている。
【００１７】
プラグ型光コネクタ２２及びソケット型光コネクタ２３には、図５（ａ）に示すように、一対の保持部材３３ａ、３３ｂを有しており、これら保持部材３３ａ、３３ｂは、付勢部材３４によって付勢されて互いに突き合わされている。互いに突き合わされた保持部材３３ａにはガラスファイバ保持穴３５ａが形成されており、また、保持部材３３ｂには、被覆保持穴３５ｂ、シース保持穴３５ｃが形成されている。
保持部材３３ａ、３３ｂは、挿入穴３２ａ、３２ｂを臨む位置にスリット部３６ａ、３６ｂを有しており、このスリット部３６ａ、３６ｂには、挿入穴３２ａ、３２ｂに挿入された治具の突起部３７ａ、３７ｂが嵌合される。そして、図５（ｂ）に示すように、このスリット部３６ａ、３６ｂに突起部３７ａ、３７ｂが嵌合することにより、保持部材３３ａ、３３ｂ同士が、付勢部材３４の付勢力に抗して引き離され、ガラスファイバ保持穴３５ａ、被覆保持穴３５ｂ、シース保持穴３５ｃが拡径される。
【００１８】
このように、上記第１の実施形態に係る収納箱１１によれば、取り扱いが比較的容易な光ケーブル１７の余長部分１７ｃを巻回して収納しているので、光ケーブルから引き出した光ファイバ心線の余長部分を収納するものと比較して、その作業に熟練を不要とすることができ、余長収納作業にかかる労力及び時間を削減することができる。しかも、余長部分１７ｃの巻き方が容易であるので、余長収納スペースを極めて小さくすることができ、スペースの有効利用を図ることができ、小型化を図ることができる。さらには、光ケーブル１７の部分にて余長を確保するので、光ケーブル１７から引き出した光ファイバ心線の余長長さを短くすることができる。
【００１９】
また、プラグ型光コネクタ２２及びソケット型光コネクタ２３が、予め内蔵光ファイバ３１ａを内在し、光ドロップケーブル１４あるいは光ケーブル１７から引き出した光ファイバ心線１４ａ、１７ａの被覆を除去して露出させた光ファイバの先端面を、内蔵光ファイバ３１ａに突き合わせた状態にて保持するメカニカルスプライス機能を備えているので、極めて容易にしかも現場にて簡単にプラグ型光コネクタ２２あるいはソケット型光コネクタ２３を装着することができる。
【００２０】
（第２の実施形態）
次に、第２の実施形態に係る収納箱について説明する。
図６は第２の実施形態に係る収納箱を示す概略構成図である。
図に示すように、この収納箱４１は、トレイ部４２を有しており、このトレイ部４２の一端側が、ケーブル引き込み部４３とされている。この収納箱４１には、架空からの光ドロップケーブル４４が、ケーブル引き込み部４３側における中央から引き込まれている。ここで、収納箱４１には、ケーブル引き込み部４３に収納スペース４５を有しており、この収納スペース４５には、光ドロップケーブル４４の一部を巻回した余長部分４４ｄが収納可能とされている。
【００２１】
そして、このケーブル引き込み部４３に引き込まれた光ドロップケーブル４４は、トレイ部４２の中央の接続部４６へ導かれている。
また、収納箱４１には、ケーブル引き込み部４３側から一対の光ケーブル１７が引き込まれ、トレイ部４２内にて反転されて接続部４６へ導かれている。
【００２２】
接続部４６は、分岐光コネクタ５１を備えている。この分岐光コネクタ５１は、一対のソケット部５２ａを備えたソケット型光コネクタ５２と、このソケット型光コネクタ５２の各ソケット部５２ａに嵌合可能なプラグ型光コネクタ５３とを有している。
ソケット型光コネクタ５２には、光ドロップケーブル４４が接続され、その外被が固定部５２ｂに固定されている。ここで、このソケット型光コネクタ５２に接続された光ドロップケーブル４４は、一対の光ファイバ心線４４ａを有するもので、それぞれの光ファイバ心線４４ａが各ソケット部５２ａに導かれている。
【００２３】
また、プラグ型光コネクタ５３には、それぞれの光ケーブル４７が接続されている。
そして、これらプラグ型光コネクタ５３をソケット型光コネクタ５２の各ソケット部５２ａに嵌合することにより、光ドロップケーブル４４の光ファイバ心線４４ａと光ケーブル４７の光ファイバ心線とが互いに光学的に接続される。
【００２４】
ここで、プラグ型光コネクタ５３及びソケット型光コネクタ５２のソケット部５２ａも、メカニカルスプライス機能を有している。なお、このメカニカルスプライスの構造としては、前述したプラグ型光コネクタ２２及びソケット型光コネクタ２３と同一であるので、ここでは説明を省略する。
【００２５】
そして、上記第２の実施形態の収納箱４１の場合も、取り扱いが比較的容易な光ドロップケーブル４４の余長部分４４ｄを巻回して収納しているので、光ケーブルから引き出した光ファイバ心線の余長部分を収納するものと比較して、その作業に熟練を不要とすることができ、余長収納作業にかかる労力及び時間を削減することができる。しかも、余長部分４４ｄの巻き方が容易であるので、余長収納スペースを極めて小さくすることができ、スペースの有効利用を図ることができ、小型化を図ることができる。さらには、光ドロップケーブル４４の部分にて余長を確保するので、下流側における光ファイバ心線の余長長さを短くすることができる。
【００２６】
また、プラグ型光コネクタ５３及びソケット型光コネクタ５２のソケット部５２ａが、予め内蔵光ファイバ３１ａを内在し、光ファイバ心線の被覆を除去して露出させた光ファイバの先端面を、内蔵光ファイバ３１ａに突き合わせた状態にて保持するメカニカルスプライス機能を備えているので、極めて容易にしかも現場にて簡単に、プラグ型光コネクタ５３あるいはソケット型光コネクタ５２のソケット部５２ａを装着することができる。
【００２７】
（第３の実施形態）
次に、第３の実施形態に係る収納箱について説明する。
図７は第３の実施形態に係る収納箱を示す概略構成図である。
この収納箱６１は、一端側がケーブル引き込み部６２とされており、このケーブル引き込み部６２から光ドロップケーブル６３が引き込まれる。そして、このケーブル引き込み部６２に引き込まれる光ドロップケーブル６３は、巻回した余長部分６３ｃがケーブル引き込み部６２側に設けられている。ケーブル引き込み部６２の先端には、ケーブルを固定する固定部７ａが設けられ、光ドロップケーブル６３が固定されている。ここで、この光ドロップケーブル６３は、テンションメンバーとともに、複数本の光ファイバ心線６３ａを有するもので、これら光ファイバ心線６３ａが引き出され、収納箱６１内に導かれている。
【００２８】
また、収納箱６１は、複数のソケット型光コネクタ６４を備えており、これらソケット型光コネクタ６４が一列に配列されている。これらソケット型光コネクタ６４は、メカニカルスプライス機能を有したものであり、このメカニカルスプライスの構造も、前述したプラグ型光コネクタ２２及びソケット型光コネクタ２３と同一であるので、ここでは説明を省略する。
【００２９】
ソケット型光コネクタ６４の近傍には、それぞれ光ファイバ心線６３ａをソケット型光コネクタ６４へ案内するガイド板６５を有している。
また、収納箱６１には、ケーブル引き込み部６２側に、ファイバ長調整部６６を有しており、このファイバ長調整部６６には、光ファイバ心線６３ａが巻回可能とされている。
【００３０】
そして、この収納箱６１では、ケーブル引き込み部６２に引き込まれた光ドロップケーブル６３から引き出された複数の光ファイバ心線６３ａが、ガイド板６５によってソケット型光コネクタ６４に導かれて接続されている。また、このとき、ファイバ長調整部６６に光ファイバ心線６３ａを巻回することにより、ケーブル引き込み部６２から各ソケット型光コネクタ６４までの距離に応じて光ファイバ心線６３ａの長さが調整される。
【００３１】
このように、上記第３の実施形態に係る収納箱６１の場合も、取り扱いが比較的容易な光ドロップケーブル６３の余長部分６３ｃを巻回して収納しているので、光ケーブルから引き出した光ファイバ心線の余長部分を収納するものと比較して、その作業に熟練を不要とすることができ、余長収納作業にかかる労力及び時間を削減することができる。しかも、余長部分６３ｃの巻き方が容易であるので、余長収納スペースを極めて小さくすることができ、スペースの有効利用を図ることができ、小型化を図ることができる。さらには、光ドロップケーブル６３の部分にて余長を確保するので、下流側における光ファイバ心線の余長長さを短くすることができる。
【００３２】
また、ソケット型光コネクタ６４が、予め内蔵光ファイバ３１ａを内在し、光ファイバ心線の被覆を除去して露出させた光ファイバの先端面を、内蔵光ファイバ３１ａに突き合わせた状態にて保持するメカニカルスプライス機能を備えているので、極めて容易にしかも現場にて簡単に、ソケット型光コネクタ６４を装着することができる。
【図面の簡単な説明】
【００３３】
【図１】本発明の第１の実施形態に係る収納箱を示す概略構成図である。
【図２】光ドロップケーブルの構造を説明する光ドロップケーブルの断面図である。
【図３】光ケーブルの構造を説明する光ケーブルの断面図である。
【図４】光ファイバを接続する光コネクタの構造を説明する光コネクタの斜視図である。
【図５】光ファイバを接続する光コネクタの内部構造を説明する光コネクタの断面図である。
【図６】本発明の第２の実施形態に係る収納箱を示す概略構成図である。
【図７】本発明の第３の実施形態に係る収納箱を示す概略構成図である。
【図８】光ファイバ心線の余長部分を収納する収納箱の斜視図である。
【図９】光ファイバ心線の余長部分を収納する他の収納箱の斜視図である。
【符号の説明】
【００３４】
７、７ａ、８、５２ｂ  固定部
１１、４１、６１  収納箱
１４、４４、６３  光ドロップケーブル（光ケーブル）
１４ａ、１７ａ、４４ａ、６３ａ  光ファイバ心線
１４ｂ  テンションメンバー
１６、４６  接続部
１７、４７  光ケーブル
１７ｃ、４４ｄ、６３ｃ  余長部分
１８、４５  収納スペース
２２、５３  プラグ型光コネクタ（光コネクタ）
２３  ソケット型光コネクタ（光コネクタ）
３１ａ  内蔵光ファイバ
５２ａ  ソケット部（光コネクタ）
【図１】
2005300856.tif 000003
【図２】
2005300856.tif 000004
【図３】
2005300856.tif 000005
【図４】
2005300856.tif 000006
【図５】
2005300856.tif 000007
【図６】
2005300856.tif 000008
【図７】
2005300856.tif 000009
【図８】
2005300856.tif 000010
【図９】
2005300856.tif 000011